(57)【要約】  【課題】棚板間の高さ寸法、棚板の奥行きの寸法等が異なる棚等に対して、或いはブックエンドを固定するために棚板等の裏面に設けられた溝の間隔の寸法が異なる棚等に対して、１種類のブックエンドのみで、棚板間の高さ寸法、奥行き寸法、更には引っ掛け溝の間隔及び形状に合わせて、それぞれの大きさに対応可能なブックエンドを提供する。  【解決手段】棚板３に設けた複数の溝３１、３２に弾性を利用して装着される固定部材１１、１２と、この固定部材１１、１２に支持される仕切り部材２とから成り、仕切り部材２内に固定部材１１、１２の基端を位置調整機構を介して配することにより仕切り部材２に対する固定部材１１、１２の取付位置を変更可能とした。  【選択図】図４
2005073956.tif 000002
【特許請求の範囲】
【請求項１】
キャビネットや本棚等の収納家具に適用されるものであって、
棚板等の取付対象に設けた複数の溝に弾性を利用して装着される固定部材と前記固定部材に支持される仕切り部材とから成り、
前記仕切り部材内に固定部材の基端を位置調整機構を介して配することにより仕切り部材に対する固定部材の取付位置を変更可能にしたことを特徴とするブックエンド。
【請求項２】
位置調整機構は、前記固定部材を取付対象の溝の位置に応じて移動可能に配置し得るものであることを特徴とする請求項１記載のブックエンド。
【請求項３】
位置調整機構は、前記固定部材を前記仕切り部材から突出させるべき大きさに応じて前記固定部材を移動可能に配置し得るものであることを特徴とする請求項１記載のブックエンド。
【請求項４】
位置調整機構は、前記固定部材を取付対象の溝の位置に応じて移動可能に配置し得るものであるとともに、前記固定部材を前記仕切り部材から突出させるべき寸法に応じて前記固定部材を移動可能に配置し得るものであることを特徴とする請求項１記載のブックエンド。
【請求項５】
仕切り部材内の位置調整機構は、一対の板状材の一方の内部面の厚み方向に複数列の垂直溝を形成したものであることを特徴とする、請求項２記載のブックエンド。
【請求項６】
仕切り部材内の位置調整機構は、一対の板状材の一方の内部面の厚み方向に複数列の水平溝を形成したものであることを特徴とする請求項３記載のブックエンド。
【請求項７】
仕切り部材内の位置調整機構は、一対の板状材の一方の内部面の厚み方向に複数列の垂直溝を形成し、かつ複数列の水平溝を形成するよう凸状の突起を複数設け、この突起により形成された溝に相応し係合しうる形状にした固定部材を係合させ、前記固定部材を前記取付対象の溝の間隔に合わせて移動可能にし、かつ前記仕切り部材から前記固定部材が突出する寸法を変更可能にしたことを特徴とする請求項４記載のブックエンド。
【請求項８】
前記固定部材は、棚板等の取付対象の下面等に装着される先端側の棚板等係合部と前記仕切り部材内において係合される基端側の仕切り部材内係合部を有することを特徴とする請求項７記載のブックエンド。
【発明の詳細な説明】
【技術分野】
【０００１】
本発明は、キャビネットや本棚等の収納家具において使用するブックエンドに関するものである。
【背景技術】
【０００２】
従前よりキャビネットや本棚等の収納家具において、棚板等に装着されるブックエンドは知られている。
【０００３】
これらは、棚板等の下面にブックエンドを配し、書籍やファイル等を仕切るものである。（特許文献１）
また、傾斜した棚に呼応して仕切り部材を移動可能にしたもの（特許文献２）が知られている。
【特許文献１】特許第３４１２７５８号
【特許文献２】特許第３０６９５８９号
【発明の開示】
【発明が解決しようとする課題】
【０００４】
しかしながら、これら従来からあるブックエンドでは、棚の奥行き寸法も棚によってその大きさはまちまちであり、棚板間の高さ寸法や、更には引っ掛け溝の幅の間隔及び形状に合わせて、それぞれの大きさ及び形状のブックエンドが必要であった。
【０００５】
更に、例えば棚板間の高さ寸法が大きいとき、または収納するものの高さ寸法が大きいとき、ブックエンドが小さいと収納物がうまく保持できず、不安定になってしまい倒れてしまうことがあった。
【０００６】
実際には、棚の種類、つまり棚板間の寸法や棚の奥行き寸法や棚板裏面の溝の間隔などが異なる場合においても、１種類のブックエンドで無理に対応するか、複数の大きさのブックエンドをオプションとして用意して対応しているのが現状であった。
【０００７】
このため、ブックエンドに対して棚板間の寸法が広いとき、例えばブックエンドが小さいにも拘わらず収納物が大きいときなど、収納物を安定させることが難しく、収納物が倒れてしまうことが多かった。
【０００８】
また、棚自体が傾斜可能になっており、これに呼応するブックエンドにおいては機構が複雑でコストが高くなるという問題があった。
【０００９】
なお、傾斜棚対応のブックエンドにおいては、棚板間の高さ寸法や奥行き寸法が異なる複数種の大きさの棚にフレキシブルに対応できるものではなく、棚の傾斜角度の変化のみに対応可能になっているものである。
【００１０】
そこで本発明は、棚板間の高さ寸法、棚板の奥行きの寸法等が異なる棚等に対して、或いはブックエンドを固定するために棚板等の裏面に設けられた溝の間隔の寸法が異なる棚等に対して、１種類のブックエンドのみで、棚板間の高さ寸法、奥行き寸法、更には引っ掛け溝の間隔及び形状に合わせて、それぞれの大きさに対応可能なブックエンドを提供することにある。
【課題を解決するための手段】
【００１１】
本発明は、キャビネットや本棚等の収納家具に適用されるものであって、棚板等の取付対象に設けた複数の溝に弾性を利用して装着される固定部材と前記固定部材に支持される仕切り部材とから成り、前記仕切り部材内に固定部材の基端を位置調整機構を介して配することにより仕切り部材に対する固定部材の取付位置を変更可能にした、ブックエンドを構成するものである。
【００１２】
このような構成によると、前記位置調整機構によって、前記固定部材を取付対象の溝の位置に応じて移動可能に配置し得るようにすることにより、棚板等に設けた溝の幅が異なる棚等に取り付ける際にも、固定部材の位置を奥行き方向に移動可能にしているため当該ブックエンドをその溝の幅に応じて調整して取り付けられるようになる。
【００１３】
更にこの位置調整機構は、前記固定部材を仕切り部材から突出させ、その長さに応じて前記固定部材を移動可能に配置し得るようにすることにより、棚等の取付対象において棚板間の高さ寸法が大きい場合においても、固定部材の位置を上下に移動可能なため当該ブックエンドをその高さに応じて調整して取り付けることができる。
【００１４】
なお、この仕切り部材内の位置調整機構は、一対の板状材の一方の内部面の厚み方向に複数列の垂直溝を形成するようにしておけば、棚板等の下面に懸垂支持する際には固定部材を左右に移動させ棚に合わせた位置に調整して設置すれば当該ブックエンドを棚等の溝の間隔に合致させて取り付けることができる。
【００１５】
また、この仕切り部材内の位置調整機構は、一対の板状材の一方の内部面の厚み方向に複数列の水平溝を形成するようにしておけば、固定部材を前記垂直溝と水平溝とに係合させ固定すれば、当該ブックエンドを棚板間の高さ寸法に応じた適した位置に取り付けることができる。
【００１６】
仕切り部材内の位置調整機構は、一対の板状材の一方の内部面の厚み方向に複数列の垂直溝を形成し、かつ複数列の水平溝を形成するよう凸状突起部を複数設け、この凸状突起部により形成された溝に相応し係合しうる形状にした固定部材を係合させ、前記固定部材を前記複数の溝の間隔に合わせて移動可能にし、かつ前記仕切り部材から前記固定部材が突出する寸法を変更可能にすることにより、棚板等に設けた溝の間隔の違いや棚板間の高さ寸法の違いに応じて、固定部材の位置を自在に変更可能にすることにより、１種類のブックエンドで複数種の棚に合わせたブックエンドを提供することができる。
【００１７】
前記固定部材は、棚板等の下面等に装着される先端側の棚板等係合部と前記仕切り部材内において係合される基端側の仕切り部材内係合部を有することにより、ブックエンドを簡単かつ容易に固定することができる。
【００１８】
これにより、従来からあるブックエンドでは対応できなかった複数種の棚等にも、本発明のブックエンドであれば１種類で対応可能となり、さまざまな大きさの奥行きや高さの棚に対して複数のブックエンドを用意しなくても対応できるようになった。
【００１９】
また、棚等に収納する物の大きさがまちまちである場合、これまでのブックエンドでは収納物を安定して保持することが難しい場合があったが、本発明のブックエンドであれば、１種類のブックエンドで収納物を安定して保持することができる。
【発明の効果】
【００２０】
以上述べたように、本発明のブックエンドを利用すれば、一つの棚において、棚板間の高さ寸法が複数になる場合であっても、溝の間隔が複数種あっても、１種類のブックエンドで対応が可能であって、仕切り部材内に設けられた位置調整機構によって、固定部材を上下・左右に移動させることにより、棚板間等において複数の高さ寸法、溝の間隔寸法に対応可能できる。
【００２１】
また、固定部材が係合する位置によって、仕切り部材の位置も調整可能なため、色々なサイズ（奥行き・幅、高さ）の棚等に１種類のブックエンドで対応可能となり、棚の大きさと収納物の大きさとの関係において、棚と収納物に応じた最適のブックエンドを提供できる。
【００２２】
このため、棚等への収納物によって棚の大きさが変わる際においても、１種類のブックエンドで対応が可能となり、かつ、収納物が倒れるようなこともなく、安定した使用が可能となる。
【発明を実施するための最良の形態】
【００２３】
以下、本発明の一実施の形態について図面を参照して説明する。
【００２４】
このブックエンドＡは、図１に示すように固定部材１１、１２と仕切り部材２とからなり、固定部材１１と対を成す固定部材１２を仕切り部材２に固定して使用するものである。
【００２５】
ブックエンドＡは、図２に示すように固定部材１１、１２の上端側端部の棚板等係合部１３、１３を棚板３等の下面に設けられた溝３１、３２に係合させ固定する。
【００２６】
固定部材１１、１２は、図３に示すように、線条材にて構成されており、溝３１、３２に係合するための棚板等係合部１３と、仕切り部材２内に固定される仕切り部材内係合部１４から成っている。棚板等係合部１３は、鉛直に配置される固定部材１１、１２の本体部から側方へ変位した位置において仕切り部材２の盤面に略垂直な方向に延設されている。また、仕切り部材内係合部１４は、鉛直に配置される固定部材１１，１２の本体部から階段状に屈曲して設けられている。
【００２７】
仕切り部材２は、図４（ａ）に示すように板状材である表板２１と裏板２２から成り、それぞれの間に固定部材１１、１２を挟んで使用するようになっている。
【００２８】
仕切り部材２は、表板２１または裏板２２の一方若しくは両方の面内に凸状突起部２３を複数設けることにより垂直溝２４と水平溝２５を形成し、位置調整機構を成すものである。鉛直溝２４は仕切り部材２の上端側に開放され、また垂直溝２４と水平溝２５とは随所において縦横に交差している。
【００２９】
固定部材１１、１２は、それぞれの仕切り部材内係合部１４を凸状突起部２３に係合させて、仕切り部材２内に固定される。
【００３０】
その際に、図４（ｂ）にあらわすように、仕切り部材内係合部１４は、凸状突起部２３によって形成される垂直溝２４、水平溝２５に階段状に係合し、周辺の凸状突起部２３に上下左右に規制されて固定されるようになっている。
【００３１】
このようにすれば、固定部材１１、１２は、高さ方向に対しても、奥行き方向に対しても、抜けたり外れたりすることが無い。
【００３２】
なお、仕切り部材２の表板２１と裏板２２は、それぞれをビス等で固定してもよいし、面内に設けた凸状突起部２３を介して固定してもよいし、別途固定用の凹凸部を設けて嵌合させてもよいし、この他、特に固定方法には拘らない。
【００３３】
また材質についても、本実施例では硬質樹脂製を想定しているが、他の材質によるものであっても本発明に含まれるものである。
【００３４】
本実施形態の固定部材１１、１２は、仕切り部材内係合部１４を垂直溝２４と水平溝２５に係合させて使用するが、垂直溝２４と水平溝２５に仕切り部材内係合部１４を係合させる位置を図４（ｂ）のように変えることにより、図５及び図６に示すように固定部材１１、１２の仕切り部材２からの突出長さや固定部材１１、１２間の幅も変えられるため、色々な大きさの棚に対応可能となる。
【００３５】
通常、この種のキャビネットや本棚等の棚板３は、スチール板をロール成形して形成されており、固定部材１１、１２を引っ掛ける溝３１、３２は棚板の長手方向に沿って一定位置に配置される。
【００３６】
このとき、棚板３の奥行き寸法ｄが変わっても、ロール成形される形状は変わらず、長手方向側端部から溝３１、３２の位置までの寸法ｘは変わらない。
【００３７】
よって、溝３１、３２の位置は長手方向の側端部から見ると棚の奥行き寸法ｄの大小に拘らず常に一定である。
【００３８】
このため、棚板３の奥行き寸法ｄの大小によって、溝３１、３２間の寸法ｙが異なってくる。
【００３９】
図７では、このことをあらわしており、棚板３の奥行き寸法ｄがｄ２、ｄ３になろうともｘ部の寸法は変わらず、溝３１、３２間の寸法ｙがｙ２、ｙ３と異なってくる。
【００４０】
そこで、同じ形状の棚であっても棚板３の奥行き寸法ｄが異なると、ブックエンドを固定するための溝３１、３２の間の寸法ｙが異なってしまうため、これまでのブックエンドでは溝の間隔に合わせた複数種のブックエンドが必要であった。
【００４１】
しかしながら、本実施形態のブックエンドＡによると、溝３１、３２に固定する固定部材１１、１２の間隔を自在に変更できるため、溝間の寸法ｙが複数種類あっても自在に対応が可能となる。
【００４２】
また、棚板間の間隔も、収納するものによって広くなったり、狭くなったりするが、例えば間隔が広いところに小さいブックエンドしか有さない場合、背の高いものを収納するとブックエンドが届かなかったり、届いたとしても収納物が倒れてしまったりしてしまい、非常に不都合であった。
【００４３】
このとき本実施形態のブックエンドＡを利用すれば、固定部材１１、１２を高さ方向及び奥行き方向に移動させることが可能なので、収納物に合わせた位置に固定部材１１、１２を移動させた上で仕切り部材２を配置すればよいため、収納物も安定して載置することができる。
【００４４】
図８は、本棚等の高さ方向における棚板間の寸法が異なる例をあらわしている。
【００４５】
上下の棚板間の寸法が小さいａの段においては、仕切り部材２からの固定部材１１、１２の突出が小さくなるようにし、棚板間の寸法が大きいｂの段においては、固定部材１１、１２の突出が大きくなるようにすることをあらわしている。
【００４６】
また、これまでの実施例では、仕切り部材内に水平溝と垂直溝を配した構成を図示しているが、図９にてあらわすように、棚板間の高さ寸法が一律であって棚板間の高さ寸法に対応する必要がない棚等であれば、垂直溝２４のみあればよく（同図（ｂ）参照）、奥行き寸法が一律であって奥行き寸法に対応する必要がない棚等であれば、水平溝２５のみあれば足りる（同図（ａ）参照）。
【００４７】
なお、図示しないが、位置調整機構を有する表裏の仕切り部材は、ビス等を用いて結合させてもよいし、先にも述べたように凹凸部を設け嵌合させ結合させてもよく、表側・裏側の仕切り板の結合方法はどのようなものであってもよい。
【００４８】
また、図面上は上部に溝を設け懸垂式にてあらわしているが、図示しないが、側部に長手方向に溝を配して、持ち出し式にしてもよい。
【図面の簡単な説明】
【００４９】
【図１】本発明の一実施形態に係るブックエンドの全体図
【図２】固定部材が溝に係合した状態を示す図
【図３】固定部材を示す図
【図４】同実施形態に係る位置調整機構を有する仕切り板の内部構造を示す図
【図５】固定部材の一取付状態を示す図
【図６】固定部材の他の取付状態を示す図
【図７】棚のそれぞれの寸法が変化することを示す参考図
【図８】書棚に収まった状態のブックエンドを示す参考図
【図９】本発明に基づく別の実施例を示す図
【符号の説明】
【００５０】
Ａ…ブックエンド
２…仕切り部材
３…棚板
１１、１２…固定部材
１３…棚板等係合部
１４…仕切り部材内係合部
２１…表板
２２…裏板
２３…凸状突起部
２４…垂直溝
２５…水平溝
３１、３２…溝
【図１】
2005073956.tif 000003
【図２】
2005073956.tif 000004
【図３】
2005073956.tif 000005
【図４】
2005073956.tif 000006
【図５】
2005073956.tif 000007
【図６】
2005073956.tif 000008
【図７】
2005073956.tif 000009
【図８】
2005073956.tif 000010
【図９】
2005073956.tif 000011